(57)【要約】  サイドバイサイド映像観覧用簡易型立体鏡が開示される。この立体鏡１０、１００は、第１レンズと第２レンズが水平方向に平行になるように左右に並置されるようにした状態で第１レンズと第２レンズの垂直方向高さが第１高さから第２高さまでの範囲内で調節できるように第１レンズ部と第２レンズ部を支えてくれるレンズ高さ調節部３０を備える。また、第１レンズの中心と第２レンズの中心との間の水平方向間隔を所定範囲内で調節できるようにするレンズ間隔調節部５０、１５０をさらに備えることができる。眼鏡フレームと眼鏡のつる部を含み、その眼鏡フレームのレンズ取付孔の水平方向直径をレンズのそれより大きくして２つレンズの水平方向間隔を調節できるように構成することもできる。
2016514275.tif 000002
【特許請求の範囲】
【請求項１】
第１レンズと、
第２レンズと、
前記第１レンズ及び前記第２レンズを左右に並置されるように支えてくれるレンズ縁と、
一側が携帯型映像再生機器と結合され、他側が前記レンズ縁と結合されて、前記第１及び第２レンズを携帯型映像再生機器の画面と所定距離離隔するように支持してくれるレンズ脚部と、
（ｉ）前記第１レンズと前記第２レンズとの間の水平方向間隔（以下、‘レンズ間の間隔’という）と、（ｉｉ）前記第１及び第２レンズの前記携帯型映像再生機器の画面からの高さ（以下、‘画面に対するレンズの高さ’という）のうちの少なくとも１つを可変させることができる間隔調節手段とを含み、
前記携帯型映像再生機器の画面でサイドバイサイド形態に再生される映像を前記第１レンズと前記第２レンズを通じて立体映像として見えるようにすることを特徴とする、立体鏡。
【請求項２】
前記間隔調節手段は、前記‘画面に対するレンズの高さ’を第１高さから第２高さまでの範囲内で調節できるように前記レンズ縁を支えてくれるレンズ高さ調節部を含み、
前記レンズ高さ調節部は、前記レンズ縁の一側角から垂直下方に所定長さ延長された第１高さ調節バー；前記レンズ縁の他側角から垂直下方に所定長さ延長された第２高さ調節バー；及び前記レンズ脚部に左右両側に所定間隔離隔して設けられ、前記第１高さ調節バー及び前記第２高さ調節バーと各々噛み合って垂直方向に滑走移動できるように各々案内してくれる第１案内部及び第２案内部を含むことを特徴とする、請求項１に記載の立体鏡。
【請求項３】
前記レンズ高さ調節部は前記第１高さ調節バー及び前記第２高さ調節バーの前記第１案内部及び前記第２案内部に対する滑走移動により前記‘画面に対するレンズの高さ’を５５〜６５ｍｍの範囲内で所望の値に調節できるようになったことを特徴とする、請求項２に記載の立体鏡。
【請求項４】
前記レンズ脚部が垂直方向に直立した状態を維持するように支持してくれる支持受け部材をさらに含むことを特徴とする、請求項１に記載の立体鏡。
【請求項５】
前記支持受け部材の上に載せられてある前記携帯型映像再生機器を前記支持受け部材側に押さえながら支えてくれる押え部材をさらに備えることを特徴とする、請求項４に記載の立体鏡。
【請求項６】
板状部材からなる前記レンズ脚部の背面底部から前記レンズ脚部の後方に水平延長されてから下方に垂直折曲されて所定長さ延長された後、前記レンズ脚部の前方に水平延長された形状を有して、前記携帯型映像再生機器の一側角部分が自身と前記レンズ脚部の底面との間に嵌挿されれば、前記携帯型映像再生機器の画面が前記第１レンズ及び前記第２レンズと平行になるように支えてくれる嵌合受け部材をさらに含むことを特徴とする、請求項１に記載の立体鏡。
【請求項７】
前記レンズ縁は、前記第１レンズを覆いかぶせる第１レンズ縁と前記第２レンズを覆いかぶせて、前記第１レンズ縁と分離された第２レンズ縁を含み、
前記間隔調節手段は、前記第１レンズ縁を前記第１高さ調節バーに対して水平方向に滑走移動可能に結合させ、また前記第２レンズ縁を前記第２高さ調節バーに対して水平方向に滑走移動可能に結合させて、前記‘レンズ間の間隔’が所定範囲内で調節できるようにしてくれるレンズ間隔調節部を含むことを特徴とする、請求項２に記載の立体鏡。
【請求項８】
前記間隔調節手段は、前記第１レンズの中心と前記第２レンズの中心との間の水平方向間隔を４０〜７０ｍｍの範囲内で調節できるようにしてくれるレンズ間隔調節部を含むことを特徴とする、請求項１に記載の立体鏡。
【請求項９】
前記レンズ脚部の末端に連結されて前記携帯型映像再生機器の胴体を２箇所で前記胴体の一部を覆いかぶせながら支えてくれるようになった把持部をさらに含むことを特徴とする、請求項１に記載の立体鏡。
【請求項１０】
前記間隔調節手段は、前記第１レンズの中心と前記第２レンズの中心との間の水平方向間隔を所定範囲内で調節できるようにしてくれるレンズ間隔調節部を含み、前記レンズ間隔調節部は、前記レンズ縁に左右並置されるように設けられた第１及び第２レンズ取付孔と、前記第１及び第２レンズの縁部分を覆いかぶせる第１及び第２レンズリムを含み、
前記第１及び第２レンズ取付孔は、前記第１及び第２レンズリムに比べて水平方向直径がより大きくて前記第１及び第２レンズリムが前記第１及び第２レンズ取付孔に圧入締結された状態で外力により水平方向に移動することができ、これによって前記‘レンズ間の間隔’が調節できるようになったことを特徴とする、請求項１に記載の立体鏡。
【請求項１１】
前記第１及び第２レンズ取付孔の内側上面及び下面には複数個の係止溝が水平方向に一列に形成されており、前記第１及び第２レンズリムの外側上面及び下面には係止突起が設けられ、前記係止突起が前記複数個の係止溝のうち、どの係止溝にかかるかによって前記‘レンズ間の間隔’が調節されることを特徴とする、請求項１０に記載の立体鏡。
【請求項１２】
前記レンズ脚部は前記レンズ縁から直交方向に所定距離離れた地点にヒンジ部が設けられて前記ヒンジ部で畳んで体積が減少できるように構成されたことを特徴とする、請求項１に記載の立体鏡。
【発明の詳細な説明】
【技術分野】
【０００１】
本発明は立体映像を見ることができる道具として使われる立体鏡（stereoscope）に関し、より詳しくは、サイドバイサイド（side-by-side）ステレオ映像を立体映像として観覧することができる簡易型立体鏡に関する。
【背景技術】
【０００２】
人が両眼で事物を観察するに当たって、同じ対象を左目と右目の間隔によって若干異なる角度から見た映像が両側眼球を通じて網膜に結ばれた後、脳に伝えられる。人の脳はその２つ映像の伝達を受けて合成して立体空間の遠近感を認識するようになる。最近、３次元立体映像の魅力が知られるにつれて、立体映像の生産と消費が増えている。立体映像を見ることができるようにする従来の方法の１つは、人が両眼で立体感を感じる原理のように、同一対象を若干の視線角偏差を有する２つイメージで表現して、人が両眼に１つずつ見えるようにする方法である。このようなサイドバイサイド方法により撮影されたステレオイメージを立体映像として見るためには、それに適合した立体鏡を使用しなければならない。
【０００３】
さまざまな立体鏡のうち、サイドバイサイド映像の上に載せて、その映像を立体的に見られるようにする簡易型立体鏡が知られている。図１は従来のポケット型立体鏡（Pocket stereoscope）１の代表的な例を図示する。このポケット型立体鏡１は、レンズ取付板３に左右に所定間隔離隔して設けられた２つのレンズ孔の内に２つのレンズ２が取り付けられており、そのレンズ取付板３の左右両側端部には長さの等しい４個の脚４が下方に向けて延びるように設置された構造である。
【０００４】
このポケット型立体鏡１の構造的特徴は、立体映像として見る対象物５と２つレンズ２との間の隔離距離が固定されてユーザが調整することができないことは勿論であるが、２つレンズ２の間の間隔も固定されてユーザが調整することができないようになっている点である。対象物５からレンズ２までの隔離距離は一般的に５０〜１００［ｍｍ］位が好ましいが、人によって視力特性（焦点距離）が異なるので、それによって上記隔離距離の最適値が異なることがある。その隔離距離の調節が不可能であれば、人によって焦点距離が合わない状態で対象物５を見るようになることがある。また、統計資料によれば、人の両眼の間隔は年齢、性別、人種などによって差がある。両眼の間隔は子供が成人になるまで４０〜５０ｍｍ育って、成人女性の平均の目間隔は約５５ｍｍであり、成人男性は６５ｍｍであり、白人が黒人と黄人種より２〜３ｍｍ間隔が狭いことと表れた。２つレンズ２の間隔を調節できない構造の場合、レンズ間隔が互いに異なる製品をさまざまな種類に作らなければならない負担がある。また、ユーザは自身の両眼の間隔をよく知らないことが普通であるので、さまざまな製品を直接着用して見て、そのうち、自身の目間隔に合う製品を選択しなければならない不便性がある。
【０００５】
一方、最近ではスマートフォンで写真や動映像を見ることが日常化された。３次元（３Ｄ）で見ることができるように製作された写真や動映像コンテンツも増える趨勢である。そのような写真や動映像コンテンツをサイドバイサイドステレオ映像の形態にスマートフォン画面にレンダリングし、立体鏡を用いてそのレンダリング画面を見ると、その写真や動映像を立体的に見ることができる。このような立体映像観覧のためにはスマートフォンに最適化された立体鏡が必要である。
【発明の概要】
【発明が解決しようとする課題】
【０００６】
本発明は、２つレンズとスマートフォン画面との間の隔離距離をユーザの焦点距離特性に合うように調節できるように構成された立体鏡を提供することをその目的とする。
【０００７】
本発明の他の目的は、２つレンズの間の間隔をユーザの両眼の間隔に合うように調節できるように構成された立体鏡を提供することにある。
【０００８】
本発明の更に他の目的は、スマートフォンの画面で表示されるサイドバイサイドステレオ映像を立体的に鑑賞することに最適化した立体鏡を提供することにある。
【課題を解決するための手段】
【０００９】
上記の目的を達成するための本発明によれば、第１レンズ；第２レンズ；上記第１レンズ及び上記第２レンズを左右に並置されるように支えてくれるレンズ縁；一側が携帯型映像再生機器と結合され、他側が上記レンズ縁と結合されて、上記第１及び第２レンズを携帯型映像再生機器の画面と所定距離離隔するように支持してくれるレンズ脚部；及び（ｉ）上記第１レンズと上記第２レンズとの間の水平方向間隔（以下、‘レンズ間の間隔’という）と、（ｉｉ）上記第１及び第２レンズの上記携帯型映像再生機器の画面からの高さ（以下、‘画面に対するレンズの高さ’という）のうち、少なくともある１つを可変させることができる間隔調節手段を含んで、上記携帯型映像再生機器の画面でサイドバイサイド形態に再生される映像を上記第１レンズと上記第２レンズを通じて立体映像として見えるようにすることを特徴とする立体鏡が提供される。
【００１０】
一例によれば、上記間隔調節手段は、上記‘画面に対するレンズの高さ’を第１高さから第２高さまでの範囲内で調節できるように上記レンズ縁を支えてくれるレンズ高さ調節部を含む。そして、上記レンズ高さ調節部は、上記レンズ縁の一側角から垂直下方に所定長さ延長された第１高さ調節バー；上記レンズ縁の他側角から垂直下方に所定長さ延長された第２高さ調節バー；及び上記レンズ脚部に左右両側に所定間隔離隔して設けられ、上記第１高さ調節バー及び上記第２高さ調節バーと各々噛み合って垂直方向に滑走移動できるように各々案内してくれる第１案内部及び第２案内部を含む。
【００１１】
上記レンズ高さ調節部は、上記第１高さ調節バー及び上記第２高さ調節バーの上記第１案内部及び上記第２案内部に対する滑走移動により上記‘画面に対するレンズの高さ’を５５〜６５ｍｍの範囲内で所望の値に調節できるようになるものが好ましい。
【００１２】
上記立体鏡は、好ましい一例によれば、上記レンズ脚部が垂直方向に直立した状態を維持するように支持してくれる支持受け部材をさらに含むことができる。延いては、上記立体鏡は、上記支持受け部材の上に載せられてある上記携帯型映像再生機器を上記支持受け部材側に押さえながら支えてくれる押え部材をさらに備えることができる。
【００１３】
上記立体鏡は、好ましい他の例によれば、板状部材からなる上記レンズ脚部の背面底部から上記レンズ脚部の後方に水平延長されてから下方に垂直折曲されて所定長さ延長された後、上記レンズ脚部の前方に水平延長された形状を有して、上記携帯型映像再生機器の一側角部分が自身と上記レンズ脚部の底面との間に嵌挿されれば、上記携帯型映像再生機器の画面が上記第１レンズ及び上記第２レンズと平行になるように支えてくれる嵌合受け部材をさらに含むことができる。
【００１４】
上記間隔調節手段は、上記第１レンズ縁を上記第１高さ調節バーに対して水平方向に滑走移動可能に結合させて、また上記第２レンズ縁を上記第２高さ調節バーに対して水平方向に滑走移動可能に結合させて、上記‘レンズ間の間隔’が所定範囲内で調節できるようにするレンズ間隔調節部を含むことが好ましい。この場合、上記レンズ縁は上記第１レンズを覆いかぶせる第１レンズ縁と、上記第２レンズを覆いかぶせて上記第１レンズ縁と分離された第２レンズ縁を含む。
【００１５】
上記レンズ間隔調節部は、上記第１レンズの中心と上記第２レンズの中心との間の水平方向間隔を４０〜７０ｍｍの範囲内で調節できることが好ましい。
【００１６】
他の好ましい例によれば、上記立体鏡は、上記レンズ脚部の末端に連結されて上記携帯型映像再生機器の胴体を２箇所で上記胴体の一部を覆いかぶせながら支えてくれるようになった把持部をさらに含むことができる。
【００１７】
他の好ましい例によれば、上記間隔調節手段は、上記第１レンズの中心と上記第２レンズの中心との間の水平方向間隔を所定範囲内で調節できるようにするレンズ間隔調節部を含む。また、上記レンズ間隔調節部は、上記レンズ縁に左右並置されるように設けられた第１及び第２レンズ取付孔と、上記第１及び第２レンズの縁部分を覆いかぶせる第１及び第２レンズリムを含む。上記第１及び第２レンズ取付孔は上記第１及び第２レンズリムに比べて水平方向直径がより大きくて、上記第１及び第２レンズリムが上記第１及び第２レンズ取付孔に圧入締結された状態で外力により水平方向に移動することができ、これによって、上記‘レンズ間の間隔’が調節できる。
【００１８】
このようなレンズ間隔調節部において、上記第１及び第２レンズ取付孔の内側上面及び下面には複数個の係止溝が水平方向に一列に形成されており、上記第１及び第２レンズリムの外側上面及び下面には係止突起が設けられ、上記係止突起が上記複数個の係止溝のうち、どの係止溝にかかるかによって上記‘レンズ間の間隔’が調節される。
【００１９】
上記レンズ脚部は上記レンズ縁から直交方向に所定距離離れている地点にヒンジ部が設けられて、上記ヒンジ部で折り畳んで体積が減少できるように構成されることが好ましい。
【発明の効果】
【００２０】
立体映像観覧対象物に対する２つレンズの垂直方向隔離距離を可変させることができる構造により、ユーザは自分の目の焦点距離に合うように上記隔離距離を調節することができる。２つレンズが観覧対象物に対して最適の隔離距離だけ離れている時、その観覧対象物が最も鮮明に見える。したがって、本発明の立体鏡はどんなユーザが使用しても自身の目の特性に合う合わせ型焦点距離を最適の状態に調節することができるので、鮮明な立体映像を観覧できるようにする。
【００２１】
前述したように、人々毎に両眼の間の間隔が異なるが、本発明が提案する立体鏡は２つレンズ間の水平方向隔離距離を可変させることができる構造であるので、どんなユーザが使用しても自身の目の間隔に合うように２つレンズ間の間隔を調節することができる。このような間隔調節構造を採用するため、さまざまなレンズ間隔サイズを有する立体鏡を多様に作る必要がないので、生産コストが低減できる。ユーザは２つレンズの間隔が自身の目の間隔にちょうど合わせられた状態で立体映像を観覧することができるので、観覧の不便がなく、目の疲労を減らすことができ、良質の画質を鑑賞することができる。
【００２２】
また、本発明の立体鏡は最近のスマートフォンに合うように最適設計されたものであるので、スマートフォンでサイドバイサイドステレオ映像を立体的に鑑賞することに便利である。
【図面の簡単な説明】
【００２３】
【図１】従来の立体化鏡の一般的な構造を示す。
【図２】本発明の第１実施形態に係る立体鏡の構造を示す組立状態斜視図である。
【図３】本発明の第１実施形態に係る立体鏡の構造を示す分解斜視図である。
【図４】本発明の第１実施形態に係る立体鏡の構造を示す側面図である。
【図５】本発明の第２実施形態に係る立体鏡の構造を示す組立状態斜視図である。
【図６】本発明の第２実施形態に係る立体鏡の構造を示す分解斜視図である。
【図７】本発明の第２実施形態に係る立体鏡の構造を示す側面図である。
【図８】本発明の第３実施形態に係る立体鏡の構造を示す組立状態斜視図である。
【図９】本発明の第３実施形態に係る立体鏡の構造を示す図であって、眼鏡のつる部を畳んだ状態図である。
【図１０】本発明の第３実施形態に係る立体鏡の構造を示す図であって、スマートフォンなどの映像再生機器に取り付けた使用状態図である。
【図１１】本発明の第３実施形態に係る立体鏡の構造を示す図であって、２つレンズを分解した斜視図である。
【図１２】本発明の第３実施形態に係る立体鏡の構造を示す図であって、（ａ）と（ｂ）は２つレンズの間隔が最大と最小に調節された状態図である。
【発明を実施するための形態】
【００２４】
以下、添付した図面を参照しながら本発明の好ましい実施形態に関して具体的に説明する。
【００２５】
（１）第１実施形態
まず、図２から図４には本発明の第１実施形態に係る立体鏡１０が図示されている。立体鏡１０はレンズ高さ調節部３０を有する。該レンズ高さ調節部３０は板状の垂直支持部材４０の背面の左右両側地点に同一な構造の２つの案内部３６ａ、３６ｂが各々設けられる。各案内部３６ａまたは３６ｂは、２つのガイドバーが水平方向に所定間隔離隔して垂直方向に並べて延長されたまま垂直支持部材４０の背面に固着された構造となっている。各案内部３６ａ、３６ｂは、垂直方向に線形の案内溝を提供する。
【００２６】
この２つ案内部３６ａ、３６ｂの案内溝の各々には第１及び第２高さ調節バー３２ａ、３２ｂが垂直方向に滑走移動可能に嵌挿されている。この高さ調節バー３２ａ、３２ｂは、ユーザが案内部３６ａ、３６ｂの案内溝に沿って高さ調節バー３２ａ、３２ｂを垂直方向に滑走移動させることにより、第１及び／又は第２レンズ部２０ａ、２０ｂの垂直方向高さを所望の高さに調節することに使われる。
【００２７】
スマートフォン７０の画面で写真や動映像がサイドバイサイドステレオ形態に存在するか、またはディスプレイされる時、その写真や動映像を２つレンズ２２ａ、２２ｂを通じて鮮明な立体映像として見るには、その２つレンズ２２ａ、２２ｂの下方に置かれるスマートフォン７０の画面からその２つレンズ２２ａ、２２ｂまでの距離は、前述したように、人々の目の焦点距離偏差を考慮すると、５５−６５ｍｍ位の範囲が適当である。即ち、２つレンズ２２ａ、２２ｂの垂直方向高さは少なくとも１０ｍｍ以上を可変させることができなければならない。言い換えると、第１及び第２高さ調節バー３２ａ、３２ｂが第１及び第２案内部３６ａ、３６ｂに沿って垂直方向に少なくとも±５ｍｍ以上滑走移動できるように構成されることが好ましい。高さ調節バー３２ａ、３２ｂと案内部３６ａ、３６ｂの長さはこのような要求を反映して、第１及び第２レンズ部２０ａ、２０ｂの所望の垂直方向高さ調節範囲より長く設けられる必要がある。
【００２８】
板状の垂直支持部材４０は自立できる構造で作るか、または他の補助部材の助けにより直立するようにする必要がある。このために、立体鏡１０は、例えば垂直支持部材４０の下方の角から前方の水平方向に所定長さ延長された板状の支持受け部材６０をさらに備えることが好ましい。支持受け部材６０と垂直支持部材４０とは互いに直角に折り曲げられた形態に一体連結されているので、垂直支持部材４０は支持受け部材６０の助けにより直立状態を維持するようになる。
【００２９】
また、立体鏡１０は第１レンズ部２０ａと第２レンズ部２０ｂを含むレンズ部２０を有する。第１レンズ部２０ａは、第１レンズ２２ａとその第１レンズ２２ａの縁を覆いかぶせながら支えてくれる第１レンズ縁２４ａを含む。第１レンズ縁２４ａは、前方の片側の隅が丸く切り取られたラウンド２５形態である。ユーザの鼻が入る空間を提供するための形態である。第１レンズ縁２４ａの裏側の角は第１高さ調節バー３２ａの上端と結合されて、第１レンズ部２０ａが第１高さ調節バー３２ａの天辺にぶら下がっているようになる。第１レンズ縁２４ａと第１高さ調節バー３２ａとは互いに相対的移動が不可能に結合されることもできるが、レンズ間隔調節部５０を導入して第１レンズ縁２４ａが第１高さ調節バー３２ａに対して水平方向に滑走移動可能に結合されることがより好ましい。例えば、図３に示すように、第１レンズ縁２４ａの裏側の角に沿って突出部２８が裏側の水平方向に突出した形態に設けられ、これに対応して第１高さ調節バー３２ａの上端には案内部材３３ａが設けられる。この案内部材３３ａには突出部２８と対向する面に沿って突出部２８が横から水平方向に挿入されて抜け出されないように支えてくれて、かつその突出部２８が水平方向に滑走移動できるように案内してくれる案内溝３４が設けられる。この突出部２８と案内溝３４から構成されるレンズ間隔調節部５０の構造は、第１レンズ縁２４ａが第１高さ調節バー３２ａに対して水平方向に滑走移動できるメカニズムを提供する。
【００３０】
第２レンズ部２０ｂは、第２レンズ縁２４ｂの構造のみ第１レンズ縁２４ａの構造と軸対称関係を有する構造となっている差があるだけであり、残りの部分は第１レンズ部２０ａと同一である。したがって、第２レンズ部２０ｂは第２高さ調節バー３２ｂの上端にぶら下がっている形態に結合され、第２高さ調節バー３２ｂに対して相対的移動不可能に結合されるか、または第２レンズ縁２４ｂが第２高さ調節バー３２ｂに対して水平方向に滑走移動できるように第２高さ調節バー３２ｂと結合される。
【００３１】
第１レンズ縁２４ａと第１高さ調節バー３２ａとの間の水平方向滑走移動構造、及び第２レンズ縁２４ｂと第２高さ調節バー３２ｂとの間の水平方向滑走移動構造は、全て採用されても良く、該２つ構造のうち、いずれか１つのみ採用されても良い。該２つの水平方向滑走移動構造のうちの少なくとも１つにより、第１レンズ２２ａと第２レンズ２２ｂとの間の水平方向間隔（‘レンズ間の間隔’という）が調節できる。このようなレンズ間隔調節部５０により、第１レンズ２２ａの中心と第２レンズ２２ｂの中心との間の水平方向間隔は少なくとも４０〜７０ｍｍの範囲で所望の値に調節できるように構成することが好ましい。
【００３２】
２つレンズ縁２４ａ、２４ｂの対向する２つ角には突出部２６が各々設けられて、２つレンズ縁２４ａ、２４ｂの突出部２６が互いに当接した時の第１レンズ２２ａの中心と第２レンズ２２ｂの中心との間の水平方向間隔が４０ｍｍになるように２つレンズ縁２４ａ、２４ｂと突出部２６の寸法を定めることが好ましい。
【００３３】
また、支持受け部材６０の上にスマートフォン７０が載せられてある時、そのスマートフォン７０が勝手に動かれないように、そのスマートフォン７０を支持受け部材６０側に押さえて支えてくれる押え部材４６をさらに設けることもできる。この押え部材４６は、垂直支持部材４０の左右両側に設けられ、弾性を有する部材で構成することが好ましい。
【００３４】
（２）第２実施形態
次に、図５から図７は本発明の第２実施形態に係る立体鏡１００を示す。この立体鏡１００は第１実施形態の立体鏡１０と比較する時、レンズ間隔調節部を構成する要素とスマートフォン７０を支えてくれる構造において差があり、残りの部分は同一である。
【００３５】
立体鏡１００のレンズ間隔調節部１５０の構造は、次の通りである。第１及び第２レンズ縁１２４ａ、１２４ｂの裏側角部分１５３ａ、１５３ｂには垂直方向に貫通した開口１５２ａ、１５２ｂが一定の幅を有しながらその角に沿って形成されている。これに対応して、第１及び第２高さ調節バー１３２ａ、１３２ｂの上端には各々Ｕ字型係止部１５４ａ、１５４ｂが設けられる。そのＵ字型係止部１５４ａ、１５４ｂのいずれか１つの垂直部が開口１５２ａ、１５２ｂの中に挿入されれば、その開口１５２ａ、１５２ｂを定義する裏側角部分１５３ａ、１５３ｂがＵ字型係止部１５４ａ、１５４ｂの中に挿入されて載せられる。このような形態に第１及び第２レンズ縁１２４ａ、１２４ｂが第１及び第２高さ調節バー１３２ａ、１３２ｂと互いに水平方向に相対的な滑走移動可能に結合される。このような形態に開口１５２ａ、１５２ｂとＵ字型係止部１５４ａ、１５４ｂが立体鏡１００のレンズ間隔調節メカニズムを提供する。このレンズ間隔調節メカニズムやはり少なくとも４０〜７０ｍｍの範囲で第１レンズ２２ａの中心と第２レンズ２２ｂの中心との間の水平方向間隔を調節できるようにする。
【００３６】
立体鏡１００は、第１実施形態の立体鏡１０の支持受け部材６０の代りに嵌合受け部材１６０を備える。この嵌合受け部材１６０は略‘匸’形態に折り曲げられた板状構造体であって、その上側入口部が支持受け部材６０の背面の底部に固定連結される。より詳しくは、板状の垂直支持部材４０の背面底部で、その垂直支持部材４０の後方に所定長さ（スマートフォン７０の一側角を取ることに充分な長さ）位水平方向に延長されてから下方に垂直折曲されて所定長さ（スマートフォン７０の厚さより若干大きく）延長された後、その垂直支持部材４０の前方に、即ちレンズ部２０ａ、２０ｂがある方向に水平延長（水平延長部）された形状を有する。これによって、その‘匸’形態の支持受け部材６０は、スマートフォン７０の一側の角がその‘匸’形態構造体の開口の中に嵌挿できる空間を提供する。このような嵌合受け部材１６０は、スマートフォン７０の上辺の角部分が嵌合受け部材１６０の水平延長部と垂直支持部材４０の底面との間に嵌挿されれば、そのスマートフォン７０の画面が第１及び第２レンズ２０ａ、２０ｂと平行になるようにスマートフォン７０を支えてくれる。
【００３７】
立体鏡１００の第１及び第２レンズ２０ａ、２０ｂの垂直方向高さ調節メカニズムは、第１実施形態の立体鏡１０のそれと同一である。
【００３８】
（３）第３実施形態
図８から図１２は本発明の第３実施形態に係る立体鏡２００の構造を示す組立状態斜視図、眼鏡のつる部２３０ａ、２３０ｂを畳んだ状態図、スマートフォンなどの映像再生機器７０に取り付けた使用状態図、２つレンズ２２ａ、２２ｂを分解した斜視図、及び２つレンズ２２ａ、２２ｂの間隔が最大と最小に調節された状態図である。
【００３９】
この第３実施形態に係る立体鏡２００は、先の２つ実施形態と比較すると、全体的形状が眼鏡形状にデザインされており、左右眼鏡のつる部２３０ａ、２３０ｂが折畳式となっており、２つレンズ２２ａ、２２ｂ間の間隔は調節可能であるが、２つレンズ２２ａ、２２ｂの映像再生機器（例：スマートフォン）７０の画面からの高さ調節は可能でない構造となっている点で差がある。
【００４０】
より詳しくは、立体鏡２００は左右両側にレンズ取付孔を提供する第１及び第２レンズ縁２２４ａ、２２４ｂが互いに連結され、中間に鼻当てが設けられた眼鏡フレーム２２０と、この眼鏡フレーム２２０の左右両側から垂直方向に折り曲げられて所定長さ延長された第１及び第２レンズ脚部２３０ａ、２３０ｂ、及びこの第１及び第２レンズ脚部２３０ａ、２３０ｂの末端に連結されて映像再生機器７０の胴体２箇所で一部を覆いかぶせながら支えてくれるようになった把持部２４０ａ、２４０ｂを含んで、全体的な構造が眼鏡形状と類似するようにデザインされている。
【００４１】
第１及び第２レンズ脚部２３０ａ、２３０ｂは、レンズ縁２２４から直交方向に少し離れた地点にヒンジ部２３２が設けられて、その部分で畳めるようになっている。立体鏡を使用しない間には、図９に示すように、第１及び第２レンズ脚部２３０ａ、２３０ｂはヒンジ部２３２で折畳保管が簡便であるように全体体積を縮めることができる。
【００４２】
把持部２４０ａ、２４０ｂは冂形態にデザインし、その開放された入口のサイズが映像再生機器７０の厚さとほぼ等しいか、または若干小さくして、把持部２４０ａ、２４０ｂがその中に収納された映像再生機器７０を締めながら支えてくれるように作ることが好ましい。把持状態で剥けないようにするために、把持部２４０ａ、２４０ｂの端部をも少し大きくすることが良い。図１０は、映像再生機器７０を把持部２４０ａ、２４０ｂに嵌めて立体鏡２００を映像再生機器７０の胴体に締結した状態を示す。この状態で、２つレンズ２２ａ、２２ｂを通じてその映像再生機器７０の画面でサイドバイサイド形態に再生される映像を見ると、その映像が立体映像として見えるようになる。
【００４３】
第１及び第２レンズ縁２２４ａ、２２４ｂには、各々レンズ取付孔２２１ａ、２２１ｂが設けられる。第１及び第２レンズ２２ａ、２２ｂは、レンズリム２２３ａ、２２３ｂにより縁部分が覆いかぶせられている。このレンズ取付孔２２１ａ、２２１ｂとレンズリム２２３ａ、２２３ｂには、レンズ間隔調節部２５０ａ、２５０ｂが設けられる。図１１に示すように、第１レンズ間隔調節部２５０ａは第１レンズ取付孔２２１ａの内側上面と下面に水平方向に一列に形成された複数の係止溝２５２ａと、第１レンズリム２２３ａの外側上面と下面に各々形成された係止突起２５４ａを含む。複数の係止溝２５２ａは、例えば３個以上設けることが好ましい。第２レンズ間隔調節部２５０ｂを構成する第２レンズ２２ｂのレンズリム２２３ｂ及び第２レンズ取付孔２２１ｂの構造も第１レンズ２２ａのレンズリム２２３ａ及び第１レンズ取付孔２２１ａと同一である。
【００４４】
第１及び第２レンズ取付孔２２１ａ、２２１ｂは、その垂直方向直径がレンズリム２２３ａ、２２３ｂが圧入結合できるサイズを有するが、水平方向直径はレンズリム２２３ａ、２２３ｂの水平方向直径より大きい。したがって、第１及び第２レンズリム２２３ａ、２２３ｂは第１及び第２レンズ取付孔２２１ａ、２２１ｂに圧入締結され、外力により水平方向に移動することができる。即ち、第１レンズ２２ａを第１レンズ取付孔２２１ａに取付すれば、第１レンズリム２２３ａの係止突起２５４ａが複数の係止溝２５２ａのうちのいずれか１つに挿入されてかかっているようになる。ユーザが第１レンズ２２ａに水平方向に力を加えて係止突起２５４ａがかかる係止溝２５２ａの位置を移動させることができる。第２レンズ２２ｂも同様である。
【００４５】
２つレンズ２２ａ、２２ｂがかかっている係止溝２５２ａ、２５２ｂの位置によって、その２つレンズ２２ａ、２２ｂの水平方向間隔が決定される。ユーザは力を加えて第１レンズ２２ａの係止突起２５４ａがかかる係止溝２５２ａの位置と第２レンズ２２ｂの係止突起２５４ｂがかかる係止溝２５２ｂの位置を移動させて、自身の両眼の間隔に合うように２つレンズ２２ａ、２２ｂの水平方向間隔を調節することができる。図１２の（ａ）は２つレンズ２２ａ、２２ｂの間隔ｄが最も広く広がった状態を示し、（ｂ）は最も狭く広がった状態を示す。２つレンズ２２ａ、２２ｂ間の間隔ｄは前述したように、４０〜７０ｍｍの範囲で調節することができる。
【００４６】
以上、説明した実施形態は本発明の好ましい実施形態に過ぎず、本発明に関する上記の説明内容は本発明の好ましい実施形態に過ぎない。該当技術分野の熟練した当業者は以下の実用新案登録請求範囲に記載された本発明の思想及び領域から逸脱しない範囲内で本発明を多様に修正及び変更させることができる。例えば、これはレンズ間隔調節部５０、１５０を設けないこともあり、その場合、２つレンズ縁２４ａ、２４ｂを分離せず、一体にすることが製造上簡単である。また、レンズ縁、垂直支持部材、支持受け部材、嵌合受け部材などの形態や形状も異なるようにデザインすることができる。延いては、レンズ高さ調節部３０とレンズ間隔調節部５０、１５０を構成する構成要素もレンズ部の垂直方向滑走移動と水平方向滑走移動を保証するものであれば、前述のものと異なるものを採用して具現できることは勿論である。したがって、実用新案登録請求範囲の等価的な意味や範囲に属する全ての変化は全部本発明の権利範囲に属することを明らかにする。
【産業上の利用可能性】
【００４７】
本発明は主としてポケット型立体鏡の製造に利用できるが、サイドバイサイドステレオスチールイメージや動映像を鑑賞するための多様な立体鏡の製造に活用できる。
【図１】
2016514275.tif 000003
【図２】
2016514275.tif 000004
【図３】
2016514275.tif 000005
【図４】
2016514275.tif 000006
【図５】
2016514275.tif 000007
【図６】
2016514275.tif 000008
【図７】
2016514275.tif 000009
【図８】
2016514275.tif 000010
【図９】
2016514275.tif 000011
【図１０】
2016514275.tif 000012
【図１１】
2016514275.tif 000013
【図１２（ａ）】
2016514275.tif 000014
【図１２（ｂ）】
2016514275.tif 000015
【国際調査報告】
2016514275.tif 000016
2016514275.tif 000017
2016514275.tif 000018
2016514275.tif 000019